(57)【特許請求の範囲】
【請求項１】
ハンガー本体の上部略中央位置にフックが設けられるとともに、ハンガー本体は、略コ字形に形成され左右略対称となっている二つのハンガー構成部材を備えてなる合成樹脂で形成された樹脂製ハンガーにおいて、
各ハンガー構成部材は、略コ字形の開口部側同士を突き合わせた連結部分で折り畳み機構により重ね合わせ可能に構成されており、
折り畳み機構が、一方のハンガー構成部材の開口端部に他方のハンガー構成部材の開口端部を回動可能に枢支する枢支手段と、両ハンガー構成部材が一直線状になったときにこの状態を保持するロック手段とを有し、
枢支手段が、一方のハンガー構成部材の開口端部に設けられ上下方向に回動軸となる支軸凸部と、他方のハンガー構成部材の開口端部に設けられ前記支軸凸部が臨む位置にこの支軸凸部を回動可能な状態で枢支する枢支孔と、から構成され、
ロック手段が、一方のハンガー構成部材に設けられた嵌合凸部と、他方のハンガー構成部材に設けられた嵌合孔と、から構成されていることを特徴とする樹脂製ハンガー。
【請求項２】
各ハンガー構成部材の断面をＨ形にしたことを特徴とする請求項１に記載の樹脂製ハンガー。
【請求項３】
二つのハンガー構成部材が一直線状にされてハンガー本体が閉ループを形成したときに、ハンガー本体の下辺部分がバスタオルを撓ませることなく掛け下げることができる長さを有していることを特徴とする請求項１または請求項２に記載の樹脂製ハンガー。
【発明の詳細な説明】
【０００１】
【発明の属する技術分野】
本発明は、樹脂製ハンガーに関し、詳しくは、左右略対称となっている二つのハンガー構成部材を折り畳むことができるように構成されている樹脂製ハンガーに関する。
【０００２】
【従来の技術】
衣類やタオルなどを掛け下げるハンガーは、木製、合成樹脂製、針金製など多様な材質により形成されている。この中でも、合成樹脂により形成されている樹脂製ハンガーは、強度的に優れた製品を安価な製造コストで製造することができるため、現在最も一般的に用いられている。このような樹脂製ハンガーは、衣類だけでなくタオルなどを掛け下げることができるように、下辺部分がタオル掛け部分となった閉ループ形状をしているものが多い。
【０００３】
しかし、一般的に、ハンガーは、樹脂製ハンガーに限らず、子供用のものを除いて、大体同じ大きさをしている。したがって、たとえば、バスタオルなどのようにハンガーのタオル掛け部分よりも幅広物を上述したハンガーに掛け下げようとしたとき、そのままの状態では掛け下げることができず、折り畳んだり、撓ませたりしなければならないという問題がある。
【０００４】
そこで、洗濯した後のバスタオルなどの幅広物は、物干し竿や洗濯ロープに直接掛け下げて乾燥させるようにするが、この場合、物干し竿や洗濯ロープの占有率が大きくなるため、他の洗濯物を掛け下げるスペースを奪ってしまうという問題があった。
【０００５】
このような理由から、一度にたくさんの被掛け部材を乾かすことを可能とするハンガーとして、バスタオルなど幅広物の幅よりも幅広のタオル掛け部分を備えたハンガーが提案されている。
【０００６】
【発明が解決しようとする課題】
ところが、バスタオルなど幅広物の幅よりも幅広のタオル掛け部分を備えたハンガーは、当然その大きさも大きくなるため、未使用時に収納する場所の確保が困難となってしまう。したがって、たとえば、販売する際、店舗におけるショーケースの占有率が高くなり、販売効率が悪くなってしまったり、一度に数多くの樹脂ハンガーの運搬が行えず輸送効率が悪くなってしまったりするという弊害が生じてしまう。
【０００７】
そこで、本発明は、上記問題に鑑みてなされ、バスタオルなどの幅広物の被掛け部材を掛けることができるとともに、未使用時に収納する場所の確保を容易に行うことのできる樹脂製ハンガーを提供することを目的とする。
【０００８】
【課題を解決するための手段】
このような目的を達成するために、本発明の請求項１にかかる樹脂製ハンガー（以下、「請求項１のハンガー」とのみ記す。）は、ハンガー本体の上部略中央位置にフックが設けられるとともに、ハンガー本体は、略コ字形に形成され左右略対称となっている二つのハンガー構成部材を備えてなる合成樹脂で形成された樹脂製ハンガーにおいて、各ハンガー構成部材は、略コ字形の開口部側同士を突き合わせた連結部分で折り畳み機構により重ね合わせ可能に構成されており、折り畳み機構が、一方のハンガー構成部材の開口端部に他方のハンガー構成部材の開口端部を回動可能に枢支する枢支手段と、両ハンガー構成部材が一直線状になったときにこの状態を保持するロック手段とを有し、枢支手段が、一方のハンガー構成部材の開口端部に設けられ上下方向に回動軸となる支軸凸部と、他方のハンガー構成部材の開口端部に設けられ前記支軸凸部が臨む位置にこの支軸凸部を回動可能な状態で枢支する枢支孔とから構成され、ロック手段が、一方のハンガー構成部材に設けられた嵌合凸部と、他方のハンガー構成部材に設けられた嵌合孔と、から構成されていることを特徴とする。
【０００９】
上記構成において、略コ字形とは、正面視左右略対称の環形状をしており、その下辺部分がタオル掛けとなっているハンガーにおける左右部分の形状を指したものである。したがって、ハンガー本体の形状は、正面視長方形に限らず、台形環状形、二等辺三角形環状形、長円環状形などをしていても構わない。また、フックは、ハンガー本体と一体成形されていても良いし、別体として成形され後から取り付けるようにしても良いし特に限定されない。
【００１０】
また、合成樹脂としては、特に限定されないが、たとえば、ポリプロピレン樹脂、ポリエチレン樹脂、ポリスチレン樹脂、ポリ塩化ビニルなどの熱可塑性樹脂が挙げられ、中でも、強度的に優れた性質を有する強化ポリプロピレンが好ましい。
【００１１】
また、本発明にかかる請求項２に記載の樹脂製ハンガー（以下、「請求項２のハンガー」と記す。）は、請求項１に記載のハンガーの構成に加えて、各ハンガー構成部材の断面をＨ形にしたことを特徴とする構成とした。また、本発明にかかる請求項３に記載の樹脂製ハンガー（以下、「請求項３のハンガー」と記す。）は、請求項１または請求項２に記載のハンガーの構成に加えて、二つのハンガー構成部材が一直線状にされてハンガー本体が閉ループを形成したときに、ハンガー本体の下辺部分がバスタオルを撓ませることなく掛け下げることができる長さを有していることを特徴とする構成とした。
【００１２】
【発明の実施の形態】
以下に、本発明の実施の形態を、図面を参照しつつ詳しく説明する。図１は、本発明にかかる樹脂製ハンガーの一実施の形態を示した斜視図である。図２は、図１に示した樹脂製ハンガー１の折り畳み機構４を説明するために、Ａ部分を拡大した斜視図である。（尚、フック３部分は省略）
【００１３】
図１に示したように、樹脂製ハンガー１は、ハンガー本体２とフック３とを備えており、強化ポリプロピレン樹脂により射出成形により形成されている。ハンガー本体２は、図４に示したように、略コ字形に形成され左右略対称となっている二つのハンガー構成部材２１および２２を備えており、幅寸法Ｌが約８０ｃｍ程度の長さをした略台形形状をしている。
【００１４】
二つのハンガー構成部材２１および２２は、図４に示した、それぞれの開口部２１０および２２０を突き合わせた連結部分で折り畳み機構４により重ね合わせ可能に構成されている。ハンガー構成部材２１の開口端部に形成されている断面コ字形状の枢支部２１１は、図２に示したように、ハンガー構成部材２２の開口端部２２１と嵌合するようになっている。枢支部２１１は、図２に示したように、枢支孔２１１ａと嵌合孔２１１ｂとを備えており、開口端部２２１は、支軸凸部２２１ａと嵌合凸部２２１ｂとを備えている。
【００１５】
枢支孔２１１ａは、支軸凸部２２１ａを回動自在に枢支することにより枢支手段を形成し、嵌合孔２１１ｂは、嵌合凸部２２１ｂを嵌合させて、回動状態をロックさせることによりロック手段を形成している。（図３(ａ)〜（ｃ）参照）
【００１６】
嵌合凸部２２１ｂは、図２に示したように、ハンガー構成部材２１とハンガー構成部材２２とを相対回動させて一直線状にするとき、嵌合凹部２１１ｂ側に臨む側２２１ｃから徐々に立ち上がっていくような形状をしているため、容易に嵌合凹部２１１ｂに嵌合させることができるようになっている。一方、嵌合凸部２２１ｂは、前記側２２１ｃと反対側にあたる側２２１ｄが切り立った構造をしているため、嵌合凹部２１１ｂに嵌合されたロック状態が容易に解除されることはない。このように、本実施の形態において、折り畳み機構４は、枢支部２１１と開口端部２２１とにより形成されている。
【００１７】
尚、フック３は、図１および図４に示したように、ハンガー構成部材２１と一体成形されている。また、図２に示したように、ハンガー構成部材２１は、断面がＨ形になっており、図示していないが、ハンガー構成部材２２もまた断面がＨ形になっている。
【００１８】
以上のような構成をしている樹脂製ハンガー１は、ハンガー構成部材２１およびハンガー構成部材２２が一直線状にされて閉ループ（環体）を形成したとき、図６に示したように、下辺部分１０がバスタオル掛けとなるバスタオル用ハンガーとして使用することができる。
【００１９】
また、樹脂製ハンガー１は、使用しないときは、図５に示したように折り畳むことができるため、スペースを有効に利用することができる。また、樹脂製ハンガー１は、枢支部２１１が断面コ字形状をしているため、洗濯後のバスタオルのように重い重量を有するものを掛け下げても耐え得るだけの高い強度を確保することができる。
【００２０】
さらに、樹脂製ハンガー１は、ハンガー構成部材２１およびハンガー構成部材２２の断面がＨ形をしているため、より優れた強度を有し、しかも、使用する樹脂の量を少なくすることもできるため、より安い製造コストで製造することができる。加えて、樹脂製ハンガー１は、折り畳むことが出来るにも係わらず、その構成部材として、フック３が一体成形されたハンガー構成部材２１とハンガー構成部材２２との二つだけで形成されるようになっているため、組み立てが容易であり、効率良く製造することができる。
【００２１】
なお、本発明における樹脂製ハンガーは、上記実施の形態に示した樹脂製ハンガー１に限定されない、たとえば、樹脂製ハンガー１は、バスタオルを掛けることを目的としているが、バスタオルに代えて、ネッカチーフや着物などを掛けるようにしてもよい。
【００２２】
また、ハンガー本体２の両側端部分などにひも付きの洗濯バサミなどを吊り下げるためのひも通し孔を設けるようにしても構わない。さらに、樹脂製ハンガー１は、二つ折りで折り畳まれるようになっていたが、関節構造を多数設けて三つ折り以上で折り畳まれるようにしてもよい。
【００２３】
【発明の効果】
本発明にかかる請求項１の樹脂製ハンガーは、略コ字形に形成された二つのハンガー構成部材が折り畳み機構により重ね合わせ可能に構成されているため、この樹脂製ハンガーを使用しないときは折り畳むことにより収納スペースを有効に使うことができるとともに、折り畳み機構にロック手段が設けられているため、両ハンガー構成部材が一直線状になったとき、この状態を保持することができる。
【００２４】
また、本発明にかかる請求項２の樹脂製ハンガーは、請求項１に記載の効果に加えて、各ハンガー構成部材の断面をＨ形とすることにより、使用する樹脂の量を少なくすることができるにも係わらず高い強度を確保することができる。
【００２５】
さらに、本発明にかかる請求項３の樹脂製ハンガーは、請求項１または請求項２に記載の効果に加えて、バスタオルを撓ませることなく掛け下げることができる長さを有しているため、バスタオルなどの幅広物を効率良く掛け下げることができる。
【図面の簡単な説明】
【図１】  本発明にかかる樹脂製ハンガーの一実施の形態を示した斜視図である。
【図２】  図１に示したＡ部分を拡大した斜視図である。
【図３】  折り畳み機構４部分を詳しく示した断面図である。
【図４】  二つのハンガー構成部材を連結させていない状態を示した正面図である。
【図５】  折り畳んだ状態の樹脂製ハンガー１を示した斜視図である。
【図６】  バスタオルを掛け下げた状態の樹脂製ハンガー１を示した斜視図である。
【符号の説明】
１       樹脂製ハンガー
２       ハンガー本体
２１     ハンガー構成部材
２１０   開口部
２１１   枢支部
２１１ａ 枢支孔
２１１ｂ 嵌合孔
２２     ハンガー構成部材
２２０   開口部
２２１   開口端部
２２１ａ 支軸凸部
２２１ｂ 嵌合凸部
３       フック
４       折り畳み機構
【図１】
0003691746.tif 000002
【図２】
0003691746.tif 000003
【図３】
0003691746.tif 000004
【図４】
0003691746.tif 000005
【図５】
0003691746.tif 000006
【図６】
0003691746.tif 000007